(57)【要約】【課題】電子アルバムに含まれる画像を、既に作成されたビデオストリームの構成及び順序とは異なる構成及び順序でスライドショーとして表示する。【解決手段】複数の画像をフレーム画像として含むビデオストリームを格納しているビデオストリーム格納部と、ビデオストリームを再生する再生部と、再生部を遠隔操作するリモートコントローラと、ビデオストリームを表示する表示部とを備え、リモートコントローラは、画像を再生するスケジュールを格納しているスケジュール格納部と、リモートコントローラから表示部への方向に対して略同一の方向に指向性を有する光検出部と、表示されている画像が変化するタイミングを検出する画像変化検出部と、それぞれの画像をスケジュールに従って再生させるべく、表示されている画像が変化するタイミングに同期して再生部を遠隔操作する遠隔操作部とを有する電子アルバム表示システムを提供する。【選択図】図１
2005339756.tif 000002
【特許請求の範囲】
【請求項１】
複数の画像を含む電子アルバムを表示する電子アルバム表示システムであって、
前記複数の画像をフレーム画像として含むビデオストリームを格納しているビデオストリーム格納部と、
前記ビデオストリームを再生する再生部と、
無線通信によって前記再生部を遠隔操作するリモートコントローラと、
前記再生部により再生される前記ビデオストリームを表示する表示部と
を備え、
前記リモートコントローラは、
前記複数の画像のうち、少なくとも一部の画像を再生するスケジュールを格納しているスケジュール格納部と、
当該リモートコントローラから前記表示部への方向に対して略同一の方向に指向性を有する、光を検出する光検出部と、
前記光検出部により検出された光の量の変化に基づいて、前記表示部により表示されている前記画像が変化するタイミングを検出する画像変化検出部と、
前記少なくとも一部の画像のそれぞれを前記スケジュールに従って再生させるべく、前記画像変化検出部により検出された、前記表示部により表示されている前記画像が変化するタイミングに同期して、前記再生部を遠隔操作する遠隔操作部と
を有する電子アルバム表示システム。
【請求項２】
前記光検出部は、当該リモートコントローラから前記表示部への方向に対して、当該リモートコントローラを中心とした、左右に略同一の角度で示される範囲に含まれる方向に指向性を有する請求項１に記載の電子アルバム表示システム。
【請求項３】
前記スケジュール格納部は、前記スケジュールとして、前記少なくとも一部の画像のそれぞれについて、前記再生部が当該画像を再生させ続ける時間である再生持続時間を格納しており、
前記遠隔操作部は、前記表示部により表示されている前記画像の変化が検出された時点から、前記表示部により表示されている前記画像における前記再生持続時間が経過したタイミングで、表示されている前記画像に続いて表示される旨が前記スケジュールにより示されている前記画像を再生させるべく前記再生部を遠隔操作する
請求項１に記載の電子アルバム表示システム。
【請求項４】
前記スケジュール格納部は、前記スケジュールとして、前記少なくとも一部の画像のそれぞれについて、前記再生部が当該画像を再生させ続ける時間である再生持続時間を格納しており、
前記リモートコントローラは、
前記遠隔操作部が、前記少なくとも一部の画像に含まれる一の前記画像を再生させるべく前記再生部を遠隔操作してから、前記画像変化検出部が、前記表示部により表示されている前記画像の変化を検出するまでの時間である遅延時間を算出する遅延時間算出部
を更に有し、
前記遠隔操作部は、前記表示部により表示されている前記画像の変化が検出された時点から、前記表示部により表示されている前記画像における前記再生持続時間から前記遅延時間を差し引いた時間が経過したタイミングで、表示されている前記画像に続いて表示される旨が前記スケジュールにより示されている前記画像を再生させるべく前記再生部を遠隔操作する
請求項１に記載の電子アルバム表示システム。
【請求項５】
前記遅延時間算出部は、前記遠隔操作部が、前記少なくとも一部の画像に含まれる一の前記画像を再生させるべく前記再生部を遠隔操作してから、前記画像変化検出部が、前記表示部により表示されている前記画像の変化を検出するまでの時間の、複数の前記画像における平均値を、前記遅延時間として算出する請求項１に記載の電子アルバム表示システム。
【請求項６】
前記リモートコントローラは、
複数の楽曲を格納している楽曲格納部と、
前記少なくとも一部の画像に含まれる一の前記画像が前記表示部により表示されている場合に再生される前記楽曲を、前記複数の楽曲から選択する楽曲選択部と、
前記遠隔操作部が、前記一の画像を再生させるべく前記再生部を遠隔操作した後で、前記画像変化検出部が、前記表示部により表示されている前記画像の変化を検出したタイミングに同期して、前記楽曲選択部により選択された前記楽曲の再生を開始する楽曲再生部と
を更に有する
請求項１に記載の電子アルバム表示システム。
【請求項７】
複数の画像を含む電子アルバムを表示する電子アルバム表示方法であって、
ビデオストリーム格納部は、前記複数の画像をフレーム画像として含むビデオストリームを格納しており、
当該電子アルバム表示方法は、
再生部が前記ビデオストリームを再生する再生段階と、
リモートコントローラが無線通信によって前記再生部を遠隔操作するリモートコントロール段階と、
表示部が前記再生段階において再生される前記ビデオストリームを表示する表示段階と
を備え、
前記リモートコントローラは、
前記複数の画像のうち、少なくとも一部の画像を再生するスケジュールを格納しているスケジュール格納部
を有し、
前記リモートコントロール段階は、
前記リモートコントローラから前記表示部への方向に対して略同一の方向に指向性を有する光検出部が光を検出する光検出段階と、
前記光検出段階において検出された光の量の変化に基づいて、前記表示部により表示されている前記画像が変化するタイミングを検出する画像変化検出段階と、
前記少なくとも一部の画像のそれぞれを前記スケジュールに従って再生させるべく、前記画像変化検出段階において検出された、前記表示部により表示されている前記画像が変化するタイミングに同期して、前記再生部を遠隔操作する遠隔操作段階と
を有する電子アルバム表示方法。
【請求項８】
ビデオストリームを再生する再生部を、無線通信によって遠隔操作するリモートコントローラであって、
前記ビデオストリームは複数の画像をフレーム画像として含み、
当該リモートコントローラは、
前記複数の画像のうち、少なくとも一部の画像を再生するスケジュールを格納しているスケジュール格納部と、
当該リモートコントローラから前記表示部への方向に対して略同一の方向に指向性を有する、光を検出する光検出部と、
前記光検出部により検出された光の量の変化に基づいて、前記表示部により表示されている前記画像が変化するタイミングを検出する画像変化検出部と、
前記少なくとも一部の画像のそれぞれを前記スケジュールに従って再生させるべく、前記画像変化検出部により検出された、前記表示部により表示されている前記画像が変化するタイミングに同期して、前記再生部を遠隔操作する遠隔操作部と
を備えるリモートコントローラ。
【請求項９】
ビデオストリームを再生する再生部を無線通信によって遠隔操作するリモートコントローラを機能させるリモートコントロールプログラムであって、
前記ビデオストリームは複数の画像をフレーム画像として含み、
当該リモートコントロールプログラムは、
前記リモートコントローラを、
前記複数の画像のうち、少なくとも一部の画像を再生するスケジュールを格納しているスケジュール格納部と、
当該リモートコントローラから前記表示部への方向に対して略同一の方向に指向性を有する、光を検出する光検出部と、
前記光検出部により検出された光の量の変化に基づいて、前記表示部により表示されている前記画像が変化するタイミングを検出する画像変化検出部と、
前記少なくとも一部の画像のそれぞれを前記スケジュールに従って再生させるべく、前記画像変化検出部により検出された、前記表示部により表示されている前記画像が変化するタイミングに同期して、前記再生部を遠隔操作する遠隔操作部と
を備えるリモートコントローラとして機能させるリモートコントロールプログラム。
【発明の詳細な説明】
【技術分野】
【０００１】
本発明は、電子アルバム表示システム、電子アルバム表示方法、リモートコントローラ、及びリモートコントロールプログラムに関する。特に本発明は、複数の画像を含む電子アルバムを表示する電子アルバム表示システム、及び電子アルバム表示方法、並びに当該電子アルバム表示システムにおいて用いられるリモートコントローラ、及びリモートコントロールプログラムに関する。
【背景技術】
【０００２】
近年、デジタルカメラが急速に普及しており、デジタルカメラの利用者は、プリントされていないデジタル画像データを数多く所有している。また、近年、ネガフィルムやプリント済みの写真をデジタイズし、デジタル画像データを作成するサービスが行われている。しかし、利用者がこれらのデジタル画像データを参照するためには、パーソナルコンピュータ等の情報機器を利用する必要があり、手軽さに欠けていた。
【０００３】
そこで、デジタル画像データをＭＰＥＧ２フォーマット等のビデオストリームとして加工して、ＤＶＤ−Ｖｉｄｅｏディスク等を作成することにより、利用者が、ＤＶＤプレイヤー等を用いて、当該デジタル画像データをスライドショー形式で参照することができる技術が公開されている（例えば、特許文献１参照。）。
【０００４】
【特許文献１】特開２００３−２５９３０３
【発明の開示】
【発明が解決しようとする課題】
【０００５】
しかしながら、特許文献１に記載の技術によれば、既に作成されたＤＶＤ−Ｖｉｄｅｏディスクに対して、スライドショーとして表示される画像の構成及び順序を変更することはできず、異なる構成及び順序で画像を表示する場合には、元のデジタル画像データから他のＤＶＤ−Ｖｉｄｅｏディスクを作成する必要があった。このため、利用者が、作成されたＤＶＤ−Ｖｉｄｅｏディスクを用いたスライドショーの内容に満足していない場合であっても、その内容を手軽に修正することができないという問題があった。
【０００６】
そこで本発明は、上記の課題を解決することができ電子アルバム表示システム、電子アルバム表示方法、リモートコントローラ、及びリモートコントロールプログラムを提供することを目的とする。この目的は特許請求の範囲における独立項に記載の特徴の組み合わせにより達成される。また従属項は本発明の更なる有利な具体例を規定する。
【課題を解決するための手段】
【０００７】
上記課題を解決するために、本発明の第１の形態においては、複数の画像を含む電子アルバムを表示する電子アルバム表示システムであって、複数の画像をフレーム画像として含むビデオストリームを格納しているビデオストリーム格納部と、ビデオストリームを再生する再生部と、無線通信によって再生部を遠隔操作するリモートコントローラと、再生部により再生されるビデオストリームを表示する表示部とを備え、リモートコントローラは、複数の画像のうち、少なくとも一部の画像を再生するスケジュールを格納しているスケジュール格納部と、当該リモートコントローラから表示部への方向に対して略同一の方向に指向性を有する、光を検出する光検出部と、光検出部により検出された光の量の変化に基づいて、表示部により表示されている画像が変化するタイミングを検出する画像変化検出部と、少なくとも一部の画像のそれぞれをスケジュールに従って再生させるべく、画像変化検出部により検出された、表示部により表示されている画像が変化するタイミングに同期して、再生部を遠隔操作する遠隔操作部とを有する。
【０００８】
光検出部は、当該リモートコントローラから表示部への方向に対して、当該リモートコントローラを中心とした、左右に略同一の角度で示される範囲に含まれる方向に指向性を有してもよい。スケジュール格納部は、スケジュールとして、少なくとも一部の画像のそれぞれについて、再生部が当該画像を再生させ続ける時間である再生持続時間を格納しており、遠隔操作部は、表示部により表示されている画像の変化が検出された時点から、表示部により表示されている画像における再生持続時間が経過したタイミングで、表示されている画像に続いて表示される旨がスケジュールにより示されている画像を再生させるべく再生部を遠隔操作してもよい。
【０００９】
スケジュール格納部は、スケジュールとして、少なくとも一部の画像のそれぞれについて、再生部が当該画像を再生させ続ける時間である再生持続時間を格納しており、リモートコントローラは、遠隔操作部が、少なくとも一部の画像に含まれる一の画像を再生させるべく再生部を遠隔操作してから、画像変化検出部が、表示部により表示されている画像の変化を検出するまでの時間である遅延時間を算出する遅延時間算出部を更に有し、遠隔操作部は、表示部により表示されている画像の変化が検出された時点から、表示部により表示されている画像における再生持続時間から遅延時間を差し引いた時間が経過したタイミングで、表示されている画像に続いて表示される旨がスケジュールにより示されている画像を再生させるべく再生部を遠隔操作してもよい。遅延時間算出部は、遠隔操作部が、少なくとも一部の画像に含まれる一の画像を再生させるべく再生部を遠隔操作してから、画像変化検出部が、表示部により表示されている画像の変化を検出するまでの時間の、複数の画像における平均値を、遅延時間として算出してもよい。
【００１０】
リモートコントローラは、複数の楽曲を格納している楽曲格納部と、少なくとも一部の画像に含まれる一の画像が表示部により表示されている場合に再生される楽曲を、複数の楽曲から選択する楽曲選択部と、遠隔操作部が、一の画像を再生させるべく再生部を遠隔操作した後で、画像変化検出部が、表示部により表示されている画像の変化を検出したタイミングに同期して、楽曲選択部により選択された楽曲の再生を開始する楽曲再生部とを更に有してもよい。
【００１１】
また、本発明の第２の形態においては、複数の画像を含む電子アルバムを表示する電子アルバム表示方法であって、ビデオストリーム格納部は、複数の画像をフレーム画像として含むビデオストリームを格納しており、当該電子アルバム表示方法は、再生部がビデオストリームを再生する再生段階と、リモートコントローラが無線通信によって再生部を遠隔操作するリモートコントロール段階と、表示部が再生段階において再生されるビデオストリームを表示する表示段階とを備え、リモートコントローラは、複数の画像のうち、少なくとも一部の画像を再生するスケジュールを格納しているスケジュール格納部を有し、リモートコントロール段階は、リモートコントローラから表示部への方向に対して略同一の方向に指向性を有する光検出部が光を検出する光検出段階と、光検出段階において検出された光の量の変化に基づいて、表示部により表示されている画像が変化するタイミングを検出する画像変化検出段階と、少なくとも一部の画像のそれぞれをスケジュールに従って再生させるべく、画像変化検出段階において検出された、表示部により表示されている画像が変化するタイミングに同期して、再生部を遠隔操作する遠隔操作段階とを有する。
【００１２】
また、本発明の第３の形態においては、ビデオストリームを再生する再生部を、無線通信によって遠隔操作するリモートコントローラであって、ビデオストリームは複数の画像をフレーム画像として含み、当該リモートコントローラは、複数の画像のうち、少なくとも一部の画像を再生するスケジュールを格納しているスケジュール格納部と、当該リモートコントローラから表示部への方向に対して略同一の方向に指向性を有する、光を検出する光検出部と、光検出部により検出された光の量の変化に基づいて、表示部により表示されている画像が変化するタイミングを検出する画像変化検出部と、少なくとも一部の画像のそれぞれをスケジュールに従って再生させるべく、画像変化検出部により検出された、表示部により表示されている画像が変化するタイミングに同期して、再生部を遠隔操作する遠隔操作部とを備える。
【００１３】
また、本発明の第４の形態においては、ビデオストリームを再生する再生部を無線通信によって遠隔操作するリモートコントローラを機能させるリモートコントロールプログラムであって、ビデオストリームは複数の画像をフレーム画像として含み、当該リモートコントロールプログラムは、リモートコントローラを、複数の画像のうち、少なくとも一部の画像を再生するスケジュールを格納しているスケジュール格納部と、当該リモートコントローラから表示部への方向に対して略同一の方向に指向性を有する、光を検出する光検出部と、光検出部により検出された光の量の変化に基づいて、表示部により表示されている画像が変化するタイミングを検出する画像変化検出部と、少なくとも一部の画像のそれぞれをスケジュールに従って再生させるべく、画像変化検出部により検出された、表示部により表示されている画像が変化するタイミングに同期して、再生部を遠隔操作する遠隔操作部とを備えるリモートコントローラとして機能させる。
【００１４】
なお、上記の発明の概要は、本発明の必要な特徴の全てを列挙したものではなく、これらの特徴群のサブコンビネーションもまた、発明となりうる。
【発明の効果】
【００１５】
本発明によれば、電子アルバムに含まれる画像を、既に作成されたビデオストリームにおける構成及び順序とは異なる構成及び順序で、スライドショーとして表示することができる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１７】
図１は、本発明の実施形態に係る電子アルバム表示システム１０の構成の一例を示すブロック図である。電子アルバム表示システム１０は、複数の画像を含む電子アルバムを、当該複数の画像が順次切り替わるスライドショーとして表示する。電子アルバム表示システム１０は、ＤＶＤ−Ｖｉｄｅｏディスク１００、ＤＶＤ−Ｖｉｄｅｏ再生装置１１０、スケジュール生成装置１２０、リモートコントローラ１３０、及び表示部１４０を備える。また、リモートコントローラ１３０は、メモリカード２００、遠隔操作部２１０、光検出部２２０、画像変化検出部２３０、遅延時間算出部２４０、楽曲選択部２５０、楽曲再生部２６０、及び音声出力部２７０を有する。
【００１８】
ＤＶＤ−Ｖｉｄｅｏディスク１００は、本発明におけるビデオストリーム格納部の一例であり、電子アルバムに含まれる複数の画像をフレーム画像として含むビデオストリームを格納している。具体的には、当該ビデオストリームは、ＭＰＥＧ２フォーマットのビデオストリームであり、電子アルバムに含まれる複数の画像のそれぞれを、例えば３秒等の予め定められた時間だけ連続するフレーム画像として含む。例えば、当該ビデオストリームは、電子アルバムに含まれる複数の画像のそれぞれを、ＭＰＥＧ２フォーマットにおける、他のフレーム画像を用いることなく再生可能なフレーム画像であるＩピクチャとして含むと共に、当該Ｉピクチャに予め定められた時間だけ続くフレーム画像として、差分が０であるＢピクチャまたはＰピクチャを含んでいてよい。
【００１９】
また、当該ビデオストリームは、電子アルバムに含まれる複数の画像を示すフレーム画像に加えて、それぞれの画像が切り替わる位置に、例えばワイプ等のトランジション効果を示すフレーム画像を含んでいてもよく、また、それぞれの画像もしくは連続する一連の画像に先だって、当該画像のタイトル等を示すフレーム画像を含んでいてもよい。また、当該ビデオストリームは、電子アルバムに含まれる複数の画像のそれぞれに対するアクセスを容易にするべく、当該画像を示す１以上の連続するフレーム画像を、ＤＶＤ−Ｖｉｄｅｏ規格におけるＰＴＴ（Ｐａｒｔ  ｏｆ  Ｔｉｔｌｅ）、即ちチャプターとして定義してよい。
【００２０】
ＤＶＤ−Ｖｉｄｅｏディスク１００は、ＤＶＤ−ＲＯＭやＤＶＤ−Ｒ等の書き換え不可能な記録媒体、及びＤＶＤ−ＲＷ等の書き換え可能な記録媒体の何れであってもよいが、記録されたビデオストリームを利用者が誤って消去してしまう危険性が低いので、書き換え不可能な記録媒体であることが好ましい。ＤＶＤ−Ｖｉｄｅｏディスク１００は、例えば、利用者からの依頼を受けたラボ等のサービスプロバイダによって、利用者により提出されたネガフィルム、プリント済みの写真、及びデジタルカメラの記録媒体等を用いて作成されてよい。そして、利用者は、作成されたＤＶＤ−Ｖｉｄｅｏディスク１００をＤＶＤプレイヤー等で再生することにより、電子アルバムに含まれる複数の画像が、ＤＶＤ−Ｖｉｄｅｏディスク１００の作成時に予め定められたスケジュールで切り替わって表示されるスライドショーとして楽しむことができる。
【００２１】
ここで、スケジュールとは、スライドショーとして再生及び表示される画像の構成、画像が再生及び表示される順序、及びそれぞれの画像が再生及び表示される時間等を示す情報を含んでいる。つまり、予め定められたスケジュールとは、電子アルバムに含まれる複数の画像が、ＤＶＤ−Ｖｉｄｅｏディスク１００に格納されているビデオストリームにフレーム画像として含まれる順序で、それぞれの画像を示すフレーム画像が連続する時間だけ、順次表示されるスケジュールを示す。
【００２２】
本発明の実施形態に係る電子アルバム表示システム１０は、電子アルバムに含まれる画像が予め定められたスケジュールで表示されるべく作成されたビデオストリームを格納しているＤＶＤ−Ｖｉｄｅｏディスク１００を用いる場合であっても、電子アルバムに含まれる画像を、当該ビデオストリームにおける予め定められたスケジュールとは異なるスケジュールでスライドショーとして表示することを目的とする。
また、本発明の実施形態に係る電子アルバム表示システム１０は、画像を表示するタイミングを精度よく制御すると共に、画像の表示に伴って楽曲を再生する場合における楽曲の再生を開始するタイミングを精度よく制御することを更なる目的とする。
【００２３】
ＤＶＤ−Ｖｉｄｅｏ再生装置１１０は、例えばＤＶＤプレイヤーであり、ＤＶＤ−Ｖｉｄｅｏディスク１００に格納されているビデオストリームを再生し、当該ビデオストリームを示す映像信号を表示部１４０に出力する。また、ＤＶＤ−Ｖｉｄｅｏ再生装置１１０は、赤外線受光器等の無線通信手段を有し、リモートコントローラ１３０と無線通信を行う。なお、ＤＶＤ−Ｖｉｄｅｏ再生装置１１０は、本発明における再生部の一例である。スケジュール生成装置１２０は、例えばパーソナルコンピュータであり、利用者の指示に従い、ＤＶＤ−Ｖｉｄｅｏディスク１００に格納されている情報に基づいてスライドショーのスケジュールを生成する。また、スケジュール生成装置１２０は、スライドショーにおいて再生される楽曲を、例えば、ＤＶＤ−Ｖｉｄｅｏディスク１００やネットワークを経由して接続したサーバーホスト等から取得する。そして、スケジュール生成装置１２０は、生成したスケジュール、及び取得した楽曲をメモリカード２００に記録する。
【００２４】
リモートコントローラ１３０は、例えば赤外線通信等の無線通信によってＤＶＤ−Ｖｉｄｅｏ再生装置１１０を遠隔操作する。メモリカード２００は、リモートコントローラ１３０に対して交換可能に設けられる書き換え可能な記録媒体であり、スケジュール格納部２０２、及び楽曲格納部２０４を含む。メモリカード２００は、例えば、フラッシュメモリ等の不揮発性メモリを有し、リモートコントローラ１３０に設けられたスロットに挿入されることにより、リモートコントローラ１３０に対して交換可能に設けられてよい。スケジュール格納部２０２は、ＤＶＤ−Ｖｉｄｅｏディスク１００に格納されているビデオストリームに含まれる複数の画像のうち、スライドショーとして表示される少なくとも一部の画像を再生するスケジュールを格納している。楽曲格納部２０４は、スライドショーにおいて再生される複数の楽曲を格納している。
【００２５】
遠隔操作部２１０は、電子アルバムに含まれる複数の画像のうち、少なくとも一部の画像のそれぞれを、スケジュール格納部２０２が格納しているスケジュールに従って再生させるべく、ＤＶＤ−Ｖｉｄｅｏ再生装置１１０を赤外線通信等の無線通信によって遠隔操作する。例えば、遠隔操作部２１０は、赤外線ＬＥＤ等を用いて、ＤＶＤ−Ｖｉｄｅｏ再生装置１１０に赤外線信号を送信することにより、ＤＶＤ−Ｖｉｄｅｏ再生装置１１０を遠隔操作する。ここで、遠隔操作部２１０が行うＤＶＤ−Ｖｉｄｅｏ再生装置１１０の操作とは、例えば、再生の開始、再生の停止、再生の一時停止、次のチャプターへの再生位置の変更、前のチャプターへの再生位置の変更、及び任意のチャプターへの再生位置の変更等である。
【００２６】
一般に、ＤＶＤ−Ｖｉｄｅｏ再生装置１１０が赤外線通信により遠隔操作される場合の通信内容は、ＤＶＤ−Ｖｉｄｅｏ再生装置１１０の機種毎に異なる。そこで、遠隔操作部２１０が、特定の機種のＤＶＤ−Ｖｉｄｅｏ再生装置１１０のみに対応可能としてではなく、多様な機種のＤＶＤ−Ｖｉｄｅｏ再生装置１１０に対応可能として設けられる場合、遠隔操作部２１０は、例えば、ＤＶＤ−Ｖｉｄｅｏ再生装置１１０の機種毎、及び当該機種における操作種別毎の、赤外線信号の波形等により示される通信内容を予め格納しており、利用者により指定されたＤＶＤ−Ｖｉｄｅｏ再生装置１１０の機種に応じた波形の赤外線信号を送出することにより、多様な機種のＤＶＤ−Ｖｉｄｅｏ再生装置１１０を制御してよい。なお、遠隔操作部２１０は、赤外線通信に代えて、ブルートゥース等の他の無線通信によりＤＶＤ−Ｖｉｄｅｏ再生装置１１０を遠隔操作してもよい。また、遠隔操作部２１０は、ＤＶＤ−Ｖｉｄｅｏ再生装置１１０を遠隔操作したタイミングを示す情報を遅延時間算出部２４０に出力すると共に、遠隔操作することにより再生を指示した画像を示す情報を楽曲選択部２５０に出力する。
【００２７】
光検出部２２０は、例えばフォトダイオード等の光検出器を含み、光を検出する。ここで、光検出部２２０は、リモートコントローラ１３０から表示部１４０への方向に対して略同一の方向に指向性を有する。例えば、光検出部２２０は、リモートコントローラ１３０から表示部１４０への方向に対して、リモートコントローラ１３０を中心とした、左右に略同一の角度で示される範囲に含まれる方向に、指向性を有してよい。また、例えば、光検出部２２０は、リモートコントローラ１３０から表示部１４０への方向に対して、リモートコントローラ１３０を中心とした、上下に略同一の角度で示される範囲に含まれる方向に、指向性を有してよい。具体的には、光検出部２２０は、リモートコントローラ１３０から表示部１４０の方向に対して、リモートコントローラ１３０を中心とした、上下左右のそれぞれについて略２０度の範囲に含まれる方向に、指向性を有する。これにより、光検出部２２０は、表示部１４０が発する光を検出することができる。また、光検出部２２０が、リモートコントローラ１３０から表示部１４０への方向に対して、左右または上下に略同一の角度で示される範囲の方向に指向性を有することにより、利用者がリモートコントローラ１３０の向きをより自由に決定することができるので、利用者にとっての利便性が向上する。
【００２８】
また、光検出部２２０は、遠隔操作部２１０がＤＶＤ−Ｖｉｄｅｏ再生装置１１０と無線通信を行うことにより検出した、リモートコントローラ１３０からＤＶＤ−Ｖｉｄｅｏ再生装置１１０への方向に対して略同一の方向に指向性を有していてもよい。こうすることにより、ＤＶＤ−Ｖｉｄｅｏ再生装置１１０が、表示部１４０の一例であるテレビ受像機等の近傍に設けられている場合に、表示部１４０が発する光を精度よく検出することができる。そして、光検出部２２０は、検出した光の量を示す情報を、画像変化検出部２３０に出力する。画像変化検出部２３０は、光検出部２２０により検出された光の量の変化に基づいて、表示部１４０により表示されている画像が変化するタイミングを検出する。そして、画像変化検出部２３０は、検出したタイミングを示す情報を、遠隔操作部２１０、遅延時間算出部２４０、及び楽曲再生部２６０に出力する。
【００２９】
遅延時間算出部２４０は、遠隔操作部２１０が、スライドショーとして表示される画像に含まれる一の画像を再生させるべくＤＶＤ−Ｖｉｄｅｏ再生装置１１０を遠隔操作してから、画像変化検出部２３０が、表示部１４０により表示されている画像の変化を検出するまでの時間である遅延時間を算出する。そして、遅延時間算出部２４０は、算出した遅延時間を示す情報を遠隔操作部２１０に出力する。そして、遠隔操作部２１０は、スケジュールに従ってそれぞれの画像を再生させるべくＤＶＤ−Ｖｉｄｅｏ再生装置１１０を遠隔操作する場合に、画像変化検出部２３０により検出された、表示部１４０により表示されている画像が変化するタイミングに同期して、ＤＶＤ−Ｖｉｄｅｏ再生装置１１０を遠隔操作する。ここで、遠隔操作部２１０は、遅延時間算出部２４０により算出された遅延時間に基づいて、ＤＶＤ−Ｖｉｄｅｏ再生装置１１０を遠隔操作するタイミングを決定してもよい。
【００３０】
楽曲選択部２５０は、スライドショーとして表示される画像に含まれる一の画像が表示部１４０により表示されている場合に再生される楽曲を、楽曲格納部２０４が格納している複数の楽曲から選択する。そして、楽曲選択部２５０は、選択した楽曲を楽曲再生部２６０に出力する。楽曲再生部２６０は、遠隔操作部２１０が、スライドショーとして表示される画像に含まれる一の画像を再生させるべくＤＶＤ−Ｖｉｄｅｏ再生装置１１０を遠隔操作した後で、画像変化検出部２３０が、表示部１４０により表示されている画像の変化を検出したタイミングに同期して、当該一の画像について楽曲選択部２５０により選択された楽曲の再生を開始する。そして、楽曲再生部２６０は、再生している楽曲を示す音声信号を、音声出力部２７０に出力する。音声出力部２７０は、例えばリモートコントローラ１３０に設けられたスピーカであり、楽曲再生部２６０から受け取った音声信号を音声として出力する。表示部１４０は、例えば外部映像入力端子を備えるテレビ受像機であり、ＤＶＤ−Ｖｉｄｅｏ再生装置１１０により再生されるビデオストリームを示す映像信号を受け取って表示する。
【００３１】
本発明の実施形態に係る電子アルバム表示システム１０によれば、ＤＶＤ−Ｖｉｄｅｏディスク１００に格納されているビデオストリームをＤＶＤ−Ｖｉｄｅｏ再生装置１１０により再生する際に、リモートコントローラ１３０がＤＶＤ−Ｖｉｄｅｏ再生装置１１０を遠隔操作することにより、当該ビデオストリームにおける予め定められたスケジュールとは異なるスケジュール、具体的にはスケジュール格納部２０２に格納されているスケジュールでスライドショーを表示することができる。従来の電子アルバム表示システムにおいては、利用者は、ＤＶＤ−Ｖｉｄｅｏディスク１００に格納されているビデオストリームにおけるスケジュールとは異なるスケジュールでスライドショーを表示させたい場合、ラボ等に当該スケジュールに基づく新たなＤＶＤ−Ｖｉｄｅｏディスクの作成を依頼したり、また、新たなＤＶＤ−Ｖｉｄｅｏディスクを自ら作成したりする必要があった。しかし、本発明の実施形態に係るリモートコントローラ１３０を用いることによって、ＤＶＤ−Ｖｉｄｅｏディスク１００と、ＤＶＤプレイヤーやテレビ受像機等の一般的な家庭用電気機器とを用いながらも、予め定められたスケジュールとは異なるスケジュールでスライドショーを表示することができるので、利用者の負担を軽減することができる。
【００３２】
また、本発明の実施形態に係る電子アルバム表示システム１０によれば、リモートコントローラ１３０として、赤外線通信機能等の無線通信機能を有する携帯電話端末を利用することもできる。こうすることにより、リモートコントローラ１３０を別途購入するといった負担を利用者に強いることなく、予め定められたスケジュールとは異なるスケジュールでスライドショーを表示することができる。
【００３３】
更に、本発明の実施形態に係る電子アルバム表示システム１０によれば、スライドショーを鑑賞する複数の利用者のそれぞれがリモートコントローラ１３０を有することができる。これにより、１枚のＤＶＤ−Ｖｉｄｅｏディスク１００の再生時に、それぞれの利用者が有するリモートコントローラ１３０に挿入されたメモリカード２００に格納されているスケジュールのそれぞれを順次切り替えつつ用いて、スライドショーを表示することができる。
【００３４】
また、本発明の実施形態に係る電子アルバム表示システム１０において、スライドショーに含まれる画像を再生させるべく、ＤＶＤ−Ｖｉｄｅｏ再生装置１１０によるＤＶＤ−Ｖｉｄｅｏディスク１００の再生位置を変化させる場合に、遠隔操作部２１０が無線通信により再生位置を遠隔操作したタイミングと、表示される画像が実際に変化するタイミングとの間のずれが、ＤＶＤ−Ｖｉｄｅｏディスク１００において画像が記録されている位置によって異なる場合がある。また、このずれは、ＤＶＤ−Ｖｉｄｅｏ再生装置１１０として用いる機器の種類によっても異なる場合がある。しかし、本発明の実施形態に係る電子アルバム表示システム１０によれば、表示される画像が実際に変化するタイミングを検出すると共に、検出したタイミングに基づいて、次に再生位置の操作を行うタイミングを決定することにより、画像の表示時間を高い精度で制御してスライドショーを表示することができる。
【００３５】
また、本発明の実施形態に係る電子アルバム表示システム１０によれば、楽曲の再生を開始するタイミングを、表示されている画像が変化するタイミングに基づいて決定することにより、例えば、ある画像に対応する楽曲が、当該画像が表示される前に再生を開始されるといった問題を防止することができるので、画像と楽曲との一体感を利用者に強く感じさせることのできる、品質の高いスライドショーを表示することができる。
【００３６】
なお、電子アルバム表示システム１０の構成は、本図に示した構成には限定されず、本図に示した構成に多様な変更を加えてもよい。例えば、ＤＶＤ−Ｖｉｄｅｏディスク１００に格納されているビデオストリームは、ＭＰＥＧ２フォーマットによるビデオストリームでなく、例えばＭＰＥＧフォーマットやＭＰＥＧ４フォーマット等の、他のフォーマットによるビデオストリームであってもよい。また、ＤＶＤ−Ｖｉｄｅｏディスク１００は、ＶｉｄｅｏＣＤディスク等の、他のフォーマットまたは他の規格に基づいた、光学記録媒体、磁気記録媒体、光磁気記録媒体、半導体記録媒体等の記録媒体であってもよい。この場合、ＤＶＤ−Ｖｉｄｅｏ再生装置１１０は、それらの記録媒体を用いてビデオストリームを再生することのできる再生装置であってよい。また、リモートコントローラ１３０は、メモリカード２００に代えて、他の交換可能な記録媒体を有してよく、また、交換可能な記録媒体に代えて、交換不可能な不揮発性メモリ等の記録媒体を有してもよい。
【００３７】
ここで、リモートコントローラ１３０が交換不可能な記録媒体を有している場合、スケジュール生成装置１２０は、リモートコントローラ１３０と有線通信または無線通信を行うことにより、生成したスケジュールを当該記録媒体に格納していてよい。また、リモートコントローラ１３０は、有線通信または無線通信を行う通信手段を有し、ＤＶＤ−Ｖｉｄｅｏディスク１００の作成元等により作成されたスケジュールをインターネット等のネットワークを介して取得すると共に、取得したスケジュールに基づいてＤＶＤ−Ｖｉｄｅｏ再生装置１１０を制御することにより、当該スケジュールに基づいたスライドショーを表示させてもよい。
【００３８】
また、本例においては、リモートコントローラ１３０は、音声出力部２７０を含むとして説明したが、これに変えて、楽曲再生部２６０が楽曲を再生することにより出力した音声信号を、例えば赤外線通信等の無線通信によって送信する音声信号送信部を含んでいてもよい。この場合、電子アルバム表示システム１０は、当該音声信号送信部により送信された音声信号を受信すると共に、受信した音声信号を音声として出力する音声出力部を、リモートコントローラ１３０の外部に備えていてもよい。
【００３９】
図２は、本発明の実施形態に係るスケジュール格納部２０２の一例を示す。スケジュール格納部２０２は、スライドショーのスケジュールとして、電子アルバムに含まれる複数の画像のうち、少なくとも一部の画像の再生順序、及び当該少なくとも一部の画像のそれぞれの、ビデオストリームにおける位置を示す情報を格納している。具体的には、スケジュール格納部２０２は、スライドショーのスケジュールとして、当該少なくとも一部の画像の再生順序、及び当該少なくとも一部の画像のそれぞれが含まれるチャプターを示す情報を格納している。より具体的には、スケジュール格納部２０２は、本図に示すように、電子アルバムに含まれる複数の画像のうち、スライドショーにおいて表示される少なくとも一部の画像について、それぞれの画像が含まれるチャプター、即ちＰＴＴを示す情報を、スライドショーとして表示される順に格納している。例えば、本図に示したスケジュールにおいては、スライドショーで最初に表示される画像は、３番目のチャプターにフレーム画像として含まれる。また、スケジュール格納部２０２は、スライドショーにおいて表示される画像のそれぞれの位置を示す情報として、当該画像が含まれるチャプターを示す情報に代えて、例えばビデオストリームの先頭等の予め定められた位置から当該画像までの再生時間を格納していてもよい。
【００４０】
更に、スケジュール格納部２０２は、スライドショーのスケジュールとして、スライドショーにおいて表示される画像のそれぞれについて、ＤＶＤ−Ｖｉｄｅｏ再生装置１１０が当該画像を再生させ続ける時間である再生持続時間、即ちスライドショーにおける当該画像の表示時間を格納している。例えば、本図に示したスケジュールにおいては、スライドショーで最初に表示される画像の再生持続時間は３秒である。
【００４１】
図１に示した遠隔操作部２１０は、スライドショーにおいて表示される画像を再生させるべくＤＶＤ−Ｖｉｄｅｏ再生装置１１０を遠隔操作するタイミングを、本図に示した再生持続時間に基づいて決定する。例えば、遠隔操作部２１０は、表示部１４０により表示されている画像の変化が画像変化検出部２３０によって検出された時点から、当該表示されている画像における再生持続時間から遅延時間算出部２４０により算出された遅延時間を差し引いた時間が経過したタイミングで、当該表示されている画像に続いて表示される旨がスケジュールにより示されている画像を再生させるべく、ＤＶＤ−Ｖｉｄｅｏ再生装置１１０を遠隔操作する。
【００４２】
ここで、遠隔操作部２１０が無線通信により再生位置を遠隔操作するタイミングと、表示される画像が変化するタイミングとの間のずれが画像毎に変動する場合について考える。例えば、ある画像におけるずれが１秒であり、当該画像に続いて表示される画像におけるずれが０．１秒である場合、遠隔操作部２１０が、再生持続時間により示される時間間隔で再生位置の遠隔操作を行うと、当該画像の表示時間は、再生持続時間に比べて０．９秒だけ短くなる。ここで、表示時間が短くなる問題を防止するべく、遠隔操作部２１０が、予め定められたマージンを再生持続時間に対して一律に加えた時間間隔で再生位置の遠隔操作を行った場合であっても、ずれの変動の大きさが画像毎に異なると、画像毎の表示時間も変動してしまう。しかし、本発明の実施形態に係る電子アルバム表示システム１０によれば、表示されている画像が変化した時点からの経過時間に基づいて、次に表示される画像を再生させるべく再生位置を遠隔操作するタイミングを決定するので、スライドショーにおける画像毎の表示時間を、高い精度で制御することができる。更に、遅延時間算出部２４０が算出した遅延時間を考慮して遠隔操作のタイミングを決定することにより、表示されている画像が、ある画像に変化してから、当該画像における再生持続時間として定められた時間が経過した時点で、次の画像が表示させることができる。
【００４３】
図３は、本発明の実施形態に係る電子アルバム表示システム１０における処理の流れの一例を示すフローチャートである。本例において、ＤＶＤ−Ｖｉｄｅｏディスク１００は、既にＤＶＤ−Ｖｉｄｅｏ再生装置１１０に挿入されているとする。また、遠隔操作部２１０は、例えば、再生の開始を示す赤外線信号をＤＶＤ−Ｖｉｄｅｏ再生装置１１０に送信することにより、ＤＶＤ−Ｖｉｄｅｏ再生装置１１０にビデオストリームの再生を開始させているとする。以下、電子アルバム表示システム１０が、ＤＶＤ−Ｖｉｄｅｏディスク１００に格納されているビデオストリームにより定められたスケジュールとは異なるスケジュールに従ってスライドショーを表示する処理の流れを説明する。
【００４４】
電子アルバム表示システム１０は、以下の処理を、スケジュール格納部２０２に格納されたスケジュールにより示される、電子アルバムに含まれる複数の画像のうち少なくとも一部の画像における再生順序に従って、当該少なくとも一部の画像のそれぞれについて繰り返す（Ｓ１０００）。
【００４５】
まず、遠隔操作部２１０は、ＤＶＤ−Ｖｉｄｅｏ再生装置１１０におけるビデオストリームの再生位置を、スケジュール格納部２０２に格納されているスケジュールが示す当該画像の位置に変更させるべく、ＤＶＤ−Ｖｉｄｅｏ再生装置１１０を遠隔操作する（Ｓ１０１０）。具体的には、遠隔操作部２１０は、ビデオストリームの再生位置を、スケジュール格納部２０２に格納されているスケジュールが示す、当該画像が含まれるチャプターの先頭位置に変更させるべく、ＤＶＤ−Ｖｉｄｅｏ再生装置１１０を遠隔操作する。例えば、遠隔操作部２１０は、当該チャプターの先頭位置へ再生位置を変更する旨を示す赤外線信号をＤＶＤ−Ｖｉｄｅｏ再生装置１１０に送信することにより、ビデオストリームの再生位置を所望のチャプターに変更させる。このようにして、遠隔操作部２１０は、ＤＶＤ−Ｖｉｄｅｏ再生装置１１０に当該画像を再生させると共に、表示部１４０に当該画像を表示させる。また、ＤＶＤ−Ｖｉｄｅｏ再生装置１１０は、遠隔操作部２１０から遠隔操作されない場合には、通常通りにビデオストリームの再生を続行してよい。これにより、電子アルバム表示システム１０は、例えば、遠隔操作部２１０からの無線通信信号が、一時的にＤＶＤ−Ｖｉｄｅｏ再生装置１１０に届かない場合であっても、スライドショーの表示を中断することなく続行することができる。また、これにより、電子アルバム表示システム１０は、スケジュール格納部２０２に格納されているスケジュールにおいて、前後して表示するべく示されている２つの画像のそれぞれが含まれるチャプターが、同様に前後して存在している場合に、遠隔操作部２１０がＤＶＤ−Ｖｉｄｅｏ再生装置１１０を遠隔操作しなくとも、スケジュールに従って画像を表示させることができる。なお、遠隔操作部２１０は、ビデオストリームの再生位置を、当該画像が含まれるチャプターの先頭位置に変更するのに代えて、チャプター内の他の位置に変更してもよい。
【００４６】
続いて、遠隔操作部２１０は、ＤＶＤ−Ｖｉｄｅｏ再生装置１１０により当該画像が再生された状態で、ビデオストリームの再生を一時停止させるべく、ＤＶＤ−Ｖｉｄｅｏ再生装置１１０を遠隔操作する（Ｓ１０２０）。例えば、遠隔操作部２１０は、再生の一時停止を示す赤外線信号をＤＶＤ−Ｖｉｄｅｏ再生装置１１０に送信することにより、ビデオストリームの再生を一時停止させる。続いて、画像変化検出部２３０は、表示部１４０により表示されている画像の変化を検出する（Ｓ１０３０）。続いて、遅延時間算出部２４０は、遠隔操作部２１０が、当該画像を再生させるべくＤＶＤ−Ｖｉｄｅｏ再生装置１１０を遠隔操作してから、画像変化検出部２３０が、表示されている画像の変化を検出するまでの時間を、遅延時間として算出する（Ｓ１０４０）。ここで、遅延時間算出部２４０は、当該画像のみについて算出した時間を遅延時間としてもよく、また、算出した時間の、複数の画像における平均値を遅延時間としてもよい。算出した時間の、複数の画像における平均値を遅延時間とすることにより、算出された遅延時間が画像毎に変動する場合であっても、利用者が指定した再生持続時間をより高い精度で反映したスライドショーを表示することができる。
【００４７】
続いて、楽曲選択部２５０は、当該画像が表示されている場合に再生される楽曲を、楽曲格納部２０４に格納されている複数の楽曲から選択する（Ｓ１０５０）。例えば、スケジュール格納部２０２は、スケジュール生成装置１２０を介した利用者の指示等に基づいて決定された、それぞれの画像が表示されている場合に再生される楽曲を示す情報を更に格納しており、楽曲選択部２５０は、それらの情報に基づいて、当該画像が表示されている場合に再生される楽曲を選択してよい。続いて、楽曲再生部２６０は、楽曲選択部２５０により選択された楽曲を再生する（Ｓ１０６０）。
【００４８】
続いて、遠隔操作部２１０は、今が、当該画像に続いて表示される画像を再生させるべきタイミングであるか否かを判定する（Ｓ１０７０）。具体的には、遠隔操作部２１０は、当該画像を再生させるべく遠隔操作した後で、表示されている画像が変化した時点から、当該画像の再生持続時間から遅延時間を差し引いた時間が経過したか否かを判定する。そして、遠隔操作部２１０が、続いて表示される画像を再生させるべきタイミングではないと判定した場合（Ｓ１０７０：Ｎｏ）、電子アルバム表示システム１０は、処理をＳ１０７０に戻して、再度、遠隔操作部２１０にタイミングを判定させる。一方、続いて表示される画像を再生させるべきタイミングであると判定した場合、（Ｓ１０７０：Ｙｅｓ）、遠隔操作部２１０は、ＤＶＤ−Ｖｉｄｅｏ再生装置１１０におけるビデオストリームの再生の一時停止を解除させる（Ｓ１０８０）。具体的には、遠隔操作部２１０は、再生の一時停止の解除を示す赤外線信号をＤＶＤ−Ｖｉｄｅｏ再生装置１１０に送信することにより、ビデオストリームの再生の一時停止を解除させる。
【００４９】
そして、電子アルバム表示システム１０は、以上の処理を、電子アルバムに含まれる複数の画像のうち、少なくとも一部の画像のそれぞれについて繰り返す（Ｓ１０９０）。
【００５０】
本発明の実施形態に係る電子アルバム表示システム１０によれば、スケジュール格納部２０２に格納されているスケジュールに従って、ＤＶＤ−Ｖｉｄｅｏ再生装置１１０におけるビデオストリームの再生位置を順次変更することにより、ビデオストリームにおける構成及び順序とは異なる構成及び順序で、電子アルバムに含まれる画像をスライドショーとして順次表示することができる。
【００５１】
また、本発明の実施形態に係る電子アルバム表示システム１０によれば、スライドショーとして表示する画像が再生された状態で、ビデオストリームの再生を一時停止すると共に、スケジュール格納部２０２に格納されているスケジュールにより示される再生持続時間の間、一時停止状態を持続することにより、ビデオストリームにおいて予め定められた画像毎の表示時間とは異なる表示時間で、それぞれの画像を表示することができる。
【００５２】
更に、ビデオストリームの再生を一時停止して、それぞれの画像を表示させ続けることにより、ビデオストリームにおいてそれぞれの画像がフレーム画像として含まれる時間を、表示時間より短くすることができる。これにより、ビデオストリームの再生位置を変更したり、また再生を一時停止したりすることなくスライドショーを表示する場合に比べて、１枚のＤＶＤ−Ｖｉｄｅｏディスク１００に、より多くの画像を格納することができる。
【００５３】
なお、電子アルバム表示システム１０における処理の流れは、本図に示した内容に限定されず、本図に示した内容に多様な変更を加えてもよい。例えば、遠隔操作部２１０は、ビデオストリームの再生の一時停止を、次の画像を表示すべく再生位置を変更させた後で解除させてもよい。これにより、再生の一時停止を解除した後で、次の画像を示すフレーム画像に再生位置を変更する場合に、他の画像を示す不適切なフレーム画像が再生される様な、各画像の収録時間が短いビデオストリームを用いる場合であっても、不適切なフレーム画像が再生されることを防止することができる。また、ＤＶＤ−Ｖｉｄｅｏ再生装置１１０が、ビデオストリームの再生位置の変更に伴い、再生の一時停止を自動的に解除する場合には、遠隔操作部２１０は、再生の一時停止の解除を行わなくともよい。また、例えば、電子アルバムに含まれる複数の画像のそれぞれが含まれるチャプター内のＰＧＣ（Ｐｒｏｇｒａｍ  Ｃｈａｉｎ）の再生後に実行されるポストコマンドとして再生の一時停止が登録されている場合等のように、それぞれの画像を再生した状態で、ＤＶＤ−Ｖｉｄｅｏ再生装置１１０がビデオストリームの再生を一時停止するべく、ビデオストリームが作成されている場合、遠隔操作部２１０は、ビデオストリームの再生を一時停止させるべくＤＶＤ−Ｖｉｄｅｏ再生装置１１０を遠隔操作しなくともよい。
【００５４】
また、本例において、遠隔操作部２１０は、表示されている画像に続いて表示される画像を再生させるべくＤＶＤ−Ｖｉｄｅｏ再生装置１１０を遠隔操作するタイミングを遅延時間に基づいて決定したが、これに代えて、表示されている画像の変化を画像変化検出部２３０が検出したタイミングに基づいて、ＤＶＤ−Ｖｉｄｅｏ再生装置１１０を遠隔操作するタイミングを決定してもよい。具体的には、遠隔操作部２１０は、表示部１４０により表示されている画像の変化が検出された時点から、当該表示されている画像における再生持続時間が経過したタイミングで、当該表示されている画像に続いて表示される旨がスケジュールにより示されている画像を再生させるべく、ＤＶＤ−Ｖｉｄｅｏ再生装置１１０を遠隔操作してもよい。こうすることにより、遠隔操作部２１０が無線通信により再生位置を遠隔操作するタイミングと、表示される画像が実際に変化するタイミングとの間のずれが画像毎に変動する場合であっても、それぞれの画像を、常に、当該画像について利用者が定めた再生持続時間以上の時間で表示することができる。
【００５５】
図４は、本発明の実施形態に係るコンピュータ１５００のハードウェア構成の一例を示すブロック図である。本発明の実施形態に係るコンピュータ１５００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＤＶＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００５６】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００５７】
入出力コントローラ１５８４は、ホスト・コントローラ１５８２と、比較的高速な入出力装置である通信インターフェイス１５３０、ハードディスクドライブ１５４０、ＤＶＤ−ＲＯＭドライブ１５６０を接続する。また、入出力コントローラ１５８４は、コンピュータ１５００に設けられたスロットに挿入される等してコンピュータ１５００に接続されたメモリカード２００と通信し、メモリカード２００からプログラム又はデータを入力すると共に、メモリカード２００に、プログラム、又は、例えばコンピュータ１５００において作成されたスケジュールや楽曲データを出力する。通信インターフェイス１５３０は、ネットワークを介して他の装置と通信する。ハードディスクドライブ１５４０は、コンピュータ１５００内のＣＰＵ１５０５が使用するプログラム及びデータを格納する。ＤＶＤ−ＲＯＭドライブ１５６０は、ＤＶＤ−ＲＯＭ１５９５からプログラム又はデータを読み取り、ＲＡＭ１５２０を介してハードディスクドライブ１５４０に提供する。
【００５８】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、コンピュータ１５００が起動時に実行するブート・プログラムや、コンピュータ１５００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００５９】
ＲＡＭ１５２０を介してハードディスクドライブ１５４０に提供されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してコンピュータ１５００内のハードディスクドライブ１５４０にインストールされ、ＣＰＵ１５０５において実行される。コンピュータ１５００にインストールされて実行されるプログラムは、ＣＰＵ１５０５等に働きかけて、コンピュータ１５００を、図１から図３にかけて説明したスケジュール生成装置１２０として機能させるスケジュール生成プログラムである。
【００６０】
また、メモリカード２００に出力されるプログラムは、フレキシブルディスク１５９０、ＤＶＤ−ＲＯＭ１５９５、又はＩＣカード等の記録媒体に格納されて利用者によって提供される。プログラムは、記録媒体から読み出され、ＲＡＭ１５２０を介してメモリカード２００に出力され、リモートコントローラ１３０に提供される。リモートコントローラ１３０に提供されるプログラムは、リモートコントローラ１３０においてインストールされて実行される。リモートコントローラ１３０にインストールされて実行されるプログラムは、リモートコントローラ１３０を、図１から図３にかけて説明したリモートコントローラ１３０として機能させるリモートコントロールプログラムである。なお、リモートコントローラ１３０に提供されるプログラムは、本図に示した形態に限定されず、他の形態でリモートコントローラ１３０に提供されてもよい。
【００６１】
以上に示したプログラムは、外部の記憶媒体に格納されてもよい。記憶媒体としては、フレキシブルディスク１５９０、ＤＶＤ−ＲＯＭ１５９５の他に、ＣＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ１５００に提供してもよい。
【００６２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６３】
【図１】本発明の実施形態に係る電子アルバム表示システム１０の構成の一例を示すブロック図である。
【図２】本発明の実施形態に係るスケジュール格納部２０２の一例を示す図である。
【図３】本発明の実施形態に係る電子アルバム表示システム１０における処理の流れの一例を示すフローチャートである。
【図４】本発明の実施形態に係るコンピュータ１５００のハードウェア構成の一例を示すブロック図である。
【符号の説明】
【００６４】
１０  電子アルバム表示システム、１００  ＤＶＤ−Ｖｉｄｅｏディスク、１１０  ＤＶＤ−Ｖｉｄｅｏ再生装置、１２０  スケジュール生成装置、１３０  リモートコントローラ、１４０  表示部、２００  メモリカード、２０２  スケジュール格納部、２０４  楽曲格納部、２１０  遠隔操作部、２２０  光検出部、２３０  画像変化検出部、２４０  遅延時間算出部、２５０  楽曲選択部、２６０  楽曲再生部、２７０  音声出力部
【図１】
2005339756.tif 000003
【図２】
2005339756.tif 000004
【図３】
2005339756.tif 000005
【図４】
2005339756.tif 000006